【手続補正書】
【提出日】平成17年10月6日(2005.10.6)
【手続補正１】
【補正対象書類名】明細書
【補正対象項目名】特許請求の範囲
【補正方法】変更
【補正の内容】
【特許請求の範囲】
【請求項１】  光源を内包して天井面に形成された取付穴に挿入された埋込型照明器具本体の一部であって前記取付穴の縁部を覆うフランジ部と前記天井面との間に配設されるリング体と；
前記リング体に取付けられた人感センサと；
を具備する埋込型照明器具用後付け機構。
【請求項２】  光源を内包して天井面に形成された取付穴に挿入された埋込型照明器具本体の一部であって前記取付穴の縁部を覆うフランジ部と前記天井面との間に配設されるリング体と；
前記リング体に取付けられた補助光源と；
を具備する埋込型照明器具用後付け機構。
【請求項３】  光源を内包して天井面に形成された取付穴に挿入された埋込型照明器具本体の一部であって前記取付穴の縁部を覆うフランジ部と前記天井面との間に配設されるリング体と；
前記リング体に取付けられた配光アクセサリと；
を具備する埋込型照明器具用後付け機構。
【請求項４】  前記リング体は、組み合わせることによりリング状となる少なくとも２以上の部材から構成されている請求項１ないし３のいずれか一記載の埋込型照明器具用後付け機構。
【請求項５】  光源を内包し、内包した前記光源からの光が放射される開口が形成され、天井面に形成された取付穴に挿入されたときに前記取付穴の縁部を覆うフランジ部が前記開口の周囲に設けられた筒状の埋込型照明器具本体と；
リング状に形成されて前記天井面と前記フランジ部との間に着脱自在に取付けられるリング体と；
前記リング体に取付けられた人感センサと；
を具備する埋込型照明器具。
【請求項６】  光源を内包し、内包した前記光源からの光が放射される開口が形成され、天井面に形成された取付穴に挿入されたときに前記取付穴の縁部を覆うフランジ部が前記開口の周囲に設けられた筒状の埋込型照明器具本体と；
リング状に形成されて前記天井面と前記フランジ部との間に着脱自在に取付けられるリング体と；
前記リング体に取付けられた補助光源と；
を具備する埋込型照明器具。
【請求項７】  前記人感センサ又は前記補助光源の制御ユニットが前記天井面の裏側に配置されている請求項５又は６記載の埋込型照明器具。
【請求項８】  光源を内包し、内包した前記光源からの光が放射される開口が形成され、天井面に形成された取付穴に挿入されたときに前記取付穴の縁部を覆うフランジ部が前記開口の周囲に設けられた筒状の埋込型照明器具本体と；
リング状に形成されて前記天井面と前記フランジ部との間に着脱自在に取付けられるリング体と；
前記リング体に取付けられた配光アクセサリと；
を具備する埋込型照明器具。
【請求項９】  前記リング体は、組み合わせることによりリング状となる少なくとも２以上の部材から構成されている請求項５ないし８のいずれか一記載の埋込型照明器具。
【手続補正２】
【補正対象書類名】明細書
【補正対象項目名】００１２
【補正方法】変更
【補正の内容】
【００１２】
【課題を解決するための手段】
請求項１記載の発明の埋込型照明器具用後付け機構は、光源を内包して天井面に形成された取付穴に挿入された埋込型照明器具本体の一部であって前記取付穴の縁部を覆うフランジ部と前記天井面との間に配設されるリング体と；前記リング体に取付けられた人感センサと；を具備する。
【手続補正３】
【補正対象書類名】明細書
【補正対象項目名】００１３
【補正方法】変更
【補正の内容】
【００１３】
ここで、本発明及び以下の発明において、リング体とは、完全なリング状のもののみを意味するのではなく、リング状であって一部に切欠を有するものも含まれ、埋込型照明器具本体を取付穴に挿入したときにフランジ部と天井面との間に配設される形状であり、かつ、挟持状態から脱落しない形状であればよい。
【手続補正４】
【補正対象書類名】明細書
【補正対象項目名】００１４
【補正方法】変更
【補正の内容】
【００１４】
したがって、人感センサを有しない埋込型照明器具が天井面に取付けられている場合において、人感センサが取付けられたリング体を、埋込型照明器具本体の一部であるフランジ部と天井面との間に配設することにより、埋込型照明器具への人感センサの後付けを多大な手間や費用をかけることなく簡単に行える。
【手続補正５】
【補正対象書類名】明細書
【補正対象項目名】００１５
【補正方法】変更
【補正の内容】
【００１５】
請求項２記載の発明の埋込型照明器具用後付け機構は、光源を内包して天井面に形成された取付穴に挿入された埋込型照明器具本体の一部であって前記取付穴の縁部を覆うフランジ部と前記天井面との間に配設されるリング体と；前記リング体に取付けられた補助光源と；を具備する。
【手続補正６】
【補正対象書類名】明細書
【補正対象項目名】００１７
【補正方法】変更
【補正の内容】
【００１７】
したがって、補助光源を有しない埋込型照明器具が天井面に取付けられている場合において、補助光源が取付けられたリング体を、埋込型照明器具本体の一部であるフランジ部と天井面との間に配設することにより、埋込型照明器具への補助光源の後付けを多大な手間や費用をかけることなく簡単に行える。
【手続補正７】
【補正対象書類名】明細書
【補正対象項目名】００１８
【補正方法】変更
【補正の内容】
【００１８】
請求項３記載の発明の埋込型照明器具用後付け機構は、光源を内包して天井面に形成された取付穴に挿入された埋込型照明器具本体の一部であって前記取付穴の縁部を覆うフランジ部と前記天井面との間に配設されるリング体と；前記リング体に取付けられた配光アクセサリと；を具備する。
【手続補正８】
【補正対象書類名】明細書
【補正対象項目名】００２０
【補正方法】変更
【補正の内容】
【００２０】
したがって、配光アクセサリを有しない埋込型照明器具が天井面に取付けられている場合において、配光アクセサリが取付けられたリング体を、埋込型照明器具本体の一部であるフランジ部と天井面との間に配設することにより、埋込型照明器具への配光アクセサリの後付けを簡単に行うことができる。
【手続補正９】
【補正対象書類名】明細書
【補正対象項目名】００２３
【補正方法】変更
【補正の内容】
【００２３】
請求項５記載の発明の埋込型照明器具は、光源を内包し、内包した前記光源からの光が放射される開口が形成され、天井面に形成された取付穴に挿入されたときに前記取付穴の縁部を覆うフランジ部が前記開口の周囲に設けられた筒状の埋込型照明器具本体と；リング状に形成されて前記天井面と前記フランジ部との間に着脱自在に取付けられるリング体と；前記リング体に取付けられた人感センサと；を具備する。
【手続補正１０】
【補正対象書類名】明細書
【補正対象項目名】００２４
【補正方法】変更
【補正の内容】
【００２４】
したがって、この埋込型照明器具の使用形態としては、天井面とフランジ部との間にリング体を配設せずに人感センサを有しない状態と、リング体を配設して人感センサを有する状態とのいずれか一方を選択することができる。リング体を配設せずに人感センサを有しない場合でも、後から天井面とフランジ部との間にリング体を配設することにより人感センサを後付けすることができ、人感センサの後付けを手間や費用をあまりかけずに簡単に行える。
【手続補正１１】
【補正対象書類名】明細書
【補正対象項目名】００２５
【補正方法】変更
【補正の内容】
【００２５】
請求項６記載の発明の埋込型照明器具は、光源を内包し、内包した前記光源からの光が放射される開口が形成され、天井面に形成された取付穴に挿入されたときに前記取付穴の縁部を覆うフランジ部が前記開口の周囲に設けられた筒状の埋込型照明器具本体と；リング状に形成されて前記天井面と前記フランジ部との間に着脱自在に取付けられるリング体と；前記リング体に取付けられた補助光源と；を具備する。
【手続補正１２】
【補正対象書類名】明細書
【補正対象項目名】００２６
【補正方法】変更
【補正の内容】
【００２６】
したがって、この埋込型照明器具の使用形態としては、天井面とフランジ部との間にリング体を配設せずに補助光源を有しない状態と、リング体を配設して補助光源を有する状態とのいずれか一方を選択することができる。リング体を配設せずに補助光源を有しない場合でも、後から天井面とフランジ部との間にリング体を配設することにより補助光源を後付けすることができ、補助光源の後付けを手間や費用をあまりかけずに簡単に行える。
【手続補正１３】
【補正対象書類名】明細書
【補正対象項目名】００３０
【補正方法】変更
【補正の内容】
【００３０】
請求項８記載の発明の埋込型照明器具は、光源を内包し、内包した前記光源からの光が放射される開口が形成され、天井面に形成された取付穴に挿入されたときに前記取付穴の縁部を覆うフランジ部が前記開口の周囲に設けられた筒状の埋込型照明器具本体と；リング状に形成されて前記天井面と前記フランジ部との間に着脱自在に取付けられるリング体と；前記リング体に取付けられた配光アクセサリと；を具備する。
【手続補正１４】
【補正対象書類名】明細書
【補正対象項目名】００３１
【補正方法】変更
【補正の内容】
【００３１】
したがって、この埋込型照明器具の使用形態としては、天井面とフランジ部との間にリング体を配設せずに配光アクセサリを有しない状態と、リング体を配設して配光アクセサリを有する状態とのいずれか一方を選択することができる。リング体を配設せずに配光アクセサリを有しない場合でも、後から天井面とフランジ部との間にリング体を配設することにより配光アクセサリを後付けすることができ、配光アクセサリの後付けを手間や費用をあまりかけずに簡単に行える。
【手続補正１５】
【補正対象書類名】明細書
【補正対象項目名】００６１
【補正方法】変更
【補正の内容】
【００６１】
【発明の効果】
請求項１記載の発明の埋込型照明器具用後付け機構によれば、人感センサを有しない埋込型照明器具が天井面に取付けられている場合において、人感センサが取付けられたリング体を、埋込型照明器具本体の一部であるフランジ部と天井面との間に配設することにより、埋込型照明器具への人感センサの後付けを多大な手間や費用をかけることなく簡単に行うことができる。
【手続補正１６】
【補正対象書類名】明細書
【補正対象項目名】００６２
【補正方法】変更
【補正の内容】
【００６２】
請求項２記載の発明の埋込型照明器具用後付け機構によれば、補助光源を有しない埋込型照明器具が天井面に取付けられている場合において、補助光源が取付けられたリング体を、埋込型照明器具本体の一部であるフランジ部と天井面との間に配設することにより、埋込型照明器具への補助光源の後付けを多大な手間や費用をかけることなく簡単に行うことができる。
【手続補正１７】
【補正対象書類名】明細書
【補正対象項目名】００６３
【補正方法】変更
【補正の内容】
【００６３】
請求項３記載の発明の埋込型照明器具用後付け機構によれば、配光アクセサリを有しない埋込型照明器具が天井面に取付けられている場合において、配光アクセサリが取付けられたリング体を、埋込型照明器具本体の一部であるフランジ部と天井面との間に配設することにより、埋込型照明器具への配光アクセサリの後付けを簡単に行うことができる。
【手続補正１８】
【補正対象書類名】明細書
【補正対象項目名】００６５
【補正方法】変更
【補正の内容】
【００６５】
請求項５記載の発明の埋込型照明器具によれば、この埋込型照明器具の使用形態としては、天井面とフランジ部との間にリング体を配設せずに人感センサを有しない状態と、リング体を配設して人感センサを有する状態とのいずれか一方を選択することができ、リング体を配設せずに人感センサを有しない場合でも、後から天井面とフランジ部との間にリング体を配設することにより人感センサの後付けを手間や費用をあまりかけずに簡単に行うことができる。
【手続補正１９】
【補正対象書類名】明細書
【補正対象項目名】００６６
【補正方法】変更
【補正の内容】
【００６６】
請求項６記載の発明の埋込型照明器具によれば、この埋込型照明器具の使用形態としては、天井面とフランジ部との間にリング体を配設せずに補助光源を有しない状態と、リング体を配設して補助光源を有する状態とのいずれか一方を選択することができ、リング体を配設せずに補助光源を有しない場合でも、後から天井面とフランジ部との間にリング体を配設することにより補助光源の後付けを手間や費用をあまりかけずに簡単に行うことができる。
【手続補正２０】
【補正対象書類名】明細書
【補正対象項目名】００６８
【補正方法】変更
【補正の内容】
【００６８】
請求項８記載の発明の埋込型照明器具によれば、この埋込型照明器具の使用形態としては、天井面とフランジ部との間にリング体を配設せずに配光アクセサリを有しない状態と、リング体を配設して配光アクセサリを有する状態とのいずれか一方を選択することができ、リング体を配設せずに配光アクセサリを有しない場合でも、後から天井面とフランジ部との間にリング体を配設することにより配光アクセサリの後付けを手間や費用をあまりかけずに簡単に行うことができる。